(57)【要約】【課題】  衛生的で、処理作業が容易で、さらに、室内犬や猫が、真っ暗闇の中でも正確な場所に排泄することのできる糞尿処理具を提供する。【解決手段】  液体吸収シート３の下面に防水シート４をラミネートしたシート本体２を所定形状に形成し、液体吸収シート３の露出上面の周縁部に蓄光物質Ｍを配置し、露出上面の中央を糞尿排泄箇所２ａとする。また、液体吸収シート３の露出上面の周縁部に、貼付け、または吹付け塗装により、蓄光物質Ｍを断続的または連続的に配置し、露出上面の中央を糞尿排泄箇所２ａとする。【選択図】      図１
0003114208.tif 000002
【実用新案登録請求の範囲】
【請求項１】
液体吸収シート（３）の下面に防水シート（４）をラミネートしたシート本体（２）を所定形状に形成し、前記液体吸収シートの露出上面の周縁部に蓄光物質（Ｍ）を配置し、前記露出上面の中央を糞尿排泄箇所（２ａ）としてなる犬猫ペットの糞尿処理具。
【請求項２】
液体吸収シート（３）の下面に防水シート（４）をラミネートしたシート本体（２）を所定形状に形成し、前記液体吸収シートの露出上面の周縁部に，蓄光物質（Ｍ）を，貼付けまたは吹付け塗装により，断続的または連続的に配置し、前記露出上面の中央を糞尿排泄箇所（２ａ）としてなる犬猫ペットの糞尿処理具。
【請求項３】
液体吸収シート（３）の下面に防水シート（４）をラミネートしたシート本体（２）を所定形状に形成し、前記液体吸収シートの露出上面の四隅に蓄光物質（Ｍ）を固着または脱着可能に配置し、前記露出上面の中央を糞尿排泄箇所（２ａ）としてなる犬猫ペットの糞尿処理具。
【請求項４】
不織布製液体吸収シート（３）の下面に防水シート（４）をラミネートしたシート本体（２）を所定形状に形成し、前記シート本体（２）の周縁を蓄光糸（５）で縁縫いし、前記露出上面の中央を糞尿排泄箇所（２ａ）としてなる犬猫ペットの糞尿処理具。
【請求項５】
シート本体（２）を平面多角形状に設定してなる請求項１乃至４のいずれかに記載の犬猫ペットの糞尿処理具。
【考案の詳細な説明】
【技術分野】
【０００１】
本考案は、主として、室内に設置して、ペットである室内犬や猫の糞尿を衛生的かつ容易に処理するための処理具に関するものである。
【背景技術】
【０００２】
マルチーズやプードルなどの主として室内で飼育される各種の室内犬や猫は、一般に、夜、室内で運動し、早朝に排泄する。また、その量は、例えば小型犬や猫の場合は、少量である。また、室内犬などは、子犬のときに躾をすることによって、同一場所で排泄をするようになる。
【０００３】
こうしたことから、通常、室内犬や猫の排泄場所を、所定の床上に防水シートを敷き、その上に新聞紙を置いて設けている場合が多い。この上に排泄された尿は、新聞紙で吸収させ、便は、当該新聞紙でくるんで捨てて処理している。
【考案の開示】
【考案が解決しようとする課題】
【０００４】
しかし、こうした従来の方法では、新聞紙が尿を完全に吸収することができないので不衛生である。また、便を処理する場合、新聞紙を防水シートから離し、当該新聞紙のみで糞尿をくるむので衛生的ではない。さらに、その際、新聞紙を防水シートから離す作業を必要とするので、その処理作業が面倒である。また、夜中などにおいて、排泄場所が真っ暗闇の場合は、室内犬が誤って新聞紙の周囲に糞尿をする場合もある。
【０００５】
本考案はこうした問題に鑑み創案されたもので、衛生的で、処理作業が容易で、さらに、室内犬や猫が、真っ暗闇の中でも正確な場所に排泄することのできる糞尿処理具を提供することを課題とする。
【課題を解決するための手段】
【０００６】
図１乃至図５を参照して説明する。請求項１に記載の犬猫ペットの糞尿処理具１は、液体吸収シート３の下面に防水シート４をラミネートしたシート本体２を所定形状に形成し、前記液体吸収シート３の露出上面の周縁部に蓄光物質Ｍを配置し、前記露出上面の中央を糞尿排泄箇所２ａとしてなるものである。
【０００７】
なお、蓄光物質Ｍとは、明るいときに吸収した光を、暗くなると発光する物質を言い、原料は鉱物で、製品状態では液状、粉状または粒状である。
【０００８】
請求項２に記載の犬猫ペットの糞尿処理具１は、液体吸収シート３の下面に防水シート４をラミネートしたシート本体２を所定形状に形成し、前記液体吸収シート３の露出上面の周縁部に、蓄光物質Ｍを、貼付け、または吹付け塗装により、断続的または連続的に配置し、前記露出上面の中央を糞尿排泄箇所２ａとしてなるものである。
【０００９】
請求項３に記載の犬猫ペットの糞尿処理具１は、液体吸収シート３の下面に防水シート４をラミネートしたシート本体２を所定形状に形成し、前記液体吸収シート３の露出上面の四隅に蓄光物質Ｍを固着または脱着可能に配置し、前記露出上面の中央を糞尿排泄箇所２ａとしてなるものである。
【００１０】
請求項４に記載の犬猫ペットの糞尿処理具１は、不織布製液体吸収シート３の下面に防水シート４をラミネートしたシート本体２を所定形状に形成し、前記シート本体２の周縁を蓄光糸５で縁縫いし、前記露出上面の中央を糞尿排泄箇所２ａとしてなる。なお、蓄光糸５とは、蓄光物質Ｍを混入した糸を言い、明るいときに吸収した光を、暗いときに発光する。
【００１１】
請求項５に記載の犬猫ペットの糞尿処理具は、請求項１乃至４のいずれかに記載の考案において、シート本体２を平面多角形状に設定してなるものである。
【考案の効果】
【００１２】
請求項１の考案の犬猫ペットの糞尿処理具１は、衛生的で、処理作業が容易で、さらに、室内犬や猫が真っ暗闇の中でも糞尿排泄箇所２ａに正確に排泄することができる。
【００１３】
すなわち、液体吸収シート３は新聞紙と異なり吸水性に富むので、室内犬や猫の尿の全てを吸収することができ、衛生的である。また、便を処理する場合は、液体吸収シート３のみではなく、防水シート４を含んだシート体２の全体でくるむので衛生的である。また、その際、液体吸収シート３を防水シート４から分離する作業を必要としないので処理作業が容易である。
【００１４】
さらに、液体吸収シート３の露出上面の周縁部に蓄光物質Ｍを配置しているので、室内犬や猫が真っ暗闇の中でも糞尿排泄箇所２ａを容易に視認することができる。従って、糞尿排泄箇所２ａに正確に排泄することができる。
【００１５】
請求項２の室内犬・猫の糞尿処理具１は、請求項１の考案と同様に、衛生的で、処理作業が容易であり、液体吸収シート３の露出上面の周縁部に、貼付けまたは吹付けにより蓄光物質Ｍを断続的または連続的に配置しているので、犬や猫は真っ暗闇の中でも糞尿排泄箇所２ａに正確に排泄することができる。
【００１６】
請求項３の犬猫ペットの糞尿処理具１は、請求項１および２の考案と同様に、衛生的で、処理作業が容易である。また、液体吸収シート３の露出上面の四隅に蓄光物質Ｍを固着または脱着可能に配置しているので、犬や猫は真っ暗闇の中でも糞尿排泄箇所２ａに正確に排泄することができる。
【００１７】
請求項４の犬猫ペットの糞尿処理具１は、同様に、衛生的で処理作業が容易である。また、シート体２の周縁を蓄光糸５で縁縫いしているので、この蓄光糸５からの発光によって犬や猫は、中央の糞尿排泄箇所２ａに正確に排泄することができる。
【００１８】
また、この糞尿処理具１は、シート体２の周縁を蓄光糸５で縁縫いしているので、液体吸収シート３と防水シート４を強固に組付けることができ、その耐久性を高めることができる。
【００１９】
さらに、この糞尿処理具１は、液体吸収シート３を不織布で形成しているので、当該不織布の持つ優れた吸水性、耐久性、通気性および通水性などによって糞尿処理具として高い機能を発揮し、また、繰り返し使用することができる。
【００２０】
請求項５に記載の犬猫ペットの糞尿処理具は、シート本体２を平面多角形状に設定しているので、例えば、特に、平面四角形状に設定すると、液体吸収シート３と防水シート４を形成する各材料を、無駄なく使用することができる。従って、製造コストの低廉化を図ることができる。
【考案を実施するための最良の形態】
【００２１】
本考案に係る犬猫ペットの糞尿処理具１の第一実施形態を、図１に示す。これは、室内に設置される犬猫ペットの糞尿処理具であって、液体吸収シート３の下面に防水シート４をラミネートしたシート本体２を平面長方形に形成している。また、液体吸収シート３の露出上面の周縁部に蓄光物質Ｍを配置し、露出上面の中央を糞尿排泄箇所２ａとしている。
【００２２】
本実施形態におけるシート体２は、３０ｃｍ×４０ｃｍ程度の平面長方形で５ｍｍ程度の肉厚を有するが、本考案のシート体２はこれに限定されず、その形状や大きさおよび肉厚は、犬や猫の大きさなどによって適宜決定することができる。
【００２３】
こうした構成の本実施形態に係る犬猫ペットの糞尿処理具１にあって、液体吸収シート３は吸水性に富むので、犬や猫の尿の全てを吸収することができ、衛生的である。また、便を処理する場合は、液体吸収シート３のみではなく、防水シート４を含んだシート体２の全体でくるむので衛生的である。また、その際、液体吸収シート３を防水シート４から分離する作業を必要としないので処理作業が容易である。
【００２４】
さらに、液体吸収シート３の露出上面の周縁部に蓄光物質Ｍを配置しているので、夜間、その蓄光物質Ｍが発光し、犬や猫が真っ暗闇の中でも糞尿排泄箇所２ａを容易に視認することができる。従って、糞尿排泄箇所２ａに正確に排泄することができる。
【００２５】
また、シート本体２を平面長方形に設定しているので、液体吸収シート３と防水シート４を形成するそれぞれの材料を、無駄なく使用することができる。従って、製造コストを低く抑えることができる。
【００２６】
なお、本実施形態における液体吸収シート３は、繊維材で形成している。従って、肌触りに優れ、犬や猫に、快適な排便空間を提供することができる。また、糞尿で汚れた繊維材製の液体吸収シート３は、容易に水洗いすることができるので、清潔な状態で繰り返し使用することができる。
【００２７】
本考案の第二実施形態に係る犬猫ペットの糞尿処理具１を、図２に示す。これは、液体吸収シート３の下面に防水シート４をラミネートしたシート本体２を多角形状に形成し、液体吸収シート３の露出上面の周縁部に、蓄光物質Ｍを、吹付け塗装により断続的に配置したものである。なお、この蓄光物質Ｍは、接着剤を介して、直接、液体吸収シート３に貼付けることもできるし、他のシート材に混入し、そのシート材を貼付けることによって配置することもできる。また、周縁部に連続的に配置することもできる。
【００２８】
この糞尿処理具１は、衛生的で、処理作業が容易であり、また、蓄光物質Ｍを、液体吸収シート３の露出上面の周縁部に断続的に配置しているので、犬や猫は真っ暗闇の中でも中央に位置する糞尿排泄箇所２ａに正確に排泄することができる。
【００２９】
本考案の第三実施形態に係る犬猫ペットの糞尿処理具１を、図３に示す。これは、液体吸収シート３の下面に防水シート４をラミネートしたシート本体２を四角形状に形成し、液体吸収シート３の露出上面の四隅に蓄光物質Ｍを固着して配置したものである。なお、この蓄光物質Ｍは、図４に示すように、他のシート片６に混入し、当該シート片６を面ファスナー７によって脱着可能に配置することもできる。
【００３０】
本実施形態に係る犬猫ペットの糞尿処理具１は、衛生的で、処理作業が容易であり、また、液体吸収シート３の露出上面の四隅に蓄光物質Ｍを固着しているので、犬や猫は真っ暗闇の中でも糞尿排泄箇所２ａに正確に排泄することができる。
【００３１】
本考案に係る犬猫ペットの糞尿処理具１の第四実施形態を、図５に示す。これは、不織布製液体吸収シート３の下面に防水シート４をラミネートしたシート本体２を多角形状に形成し、そのシート本体２の周縁を蓄光糸５で縁縫いし、露出上面の中央を糞尿排泄箇所２ａとしたものである。この蓄光糸５は、蓄光物質Ｍを糸に混入したものであり、明るいときに吸収した光を、暗闇において発光する性質を有する。
【００３２】
この糞尿処理具１も、衛生的で、処理作業が容易である。また、シート本体２の周縁を蓄光糸５で縁縫いしているので、その蓄光糸５が暗闇で発光し、犬や猫は真っ暗闇の中でも糞尿排泄箇所２ａに正確に排泄することができる。
【００３３】
また、シート体２の周縁を蓄光糸５で縁縫いしているので、液体吸収シート３と防水シート４を離脱させることなく強固に組付けることができ、耐久性に優れる。さらに、液体吸収シート３を不織布製としているので、丈夫で、通気性や通水性に優れる。従って、糞尿を処理するのに適し、また、水洗いして繰り返し使用することができる。
【実施例】
【００３４】
蓄光物質を吹付け塗料して、図１のものを作り、午後１１時迄蛍光燈の照明下におき、午後１１時から午前５時まで暗闇に置いたが、午前５時の時点で人間の目で目視出来る明るさが残っていた。
【図面の簡単な説明】
【００３５】
【図１】本考案の第一実施形態を示す斜視図である。
【図２】本考案の第二実施形態を示す斜視図である。
【図３】本考案の第三実施形態を示す斜視図である。
【図４】本考案の第三実施形態の他の態様を示す要部斜視図である。
【図５】本考案の第四実施形態を示す斜視図である。
【符号の説明】
【００３６】
１        糞尿処理具
２        シート本体
２ａ      糞尿排泄箇所
３        液体吸収シート
４        防水シート
５        蓄光糸
６        シート片
７        面ファスナー
Ｍ        蓄光物質
【図１】
0003114208.tif 000003
【図２】
0003114208.tif 000004
【図３】
0003114208.tif 000005
【図４】
0003114208.tif 000006
【図５】
0003114208.tif 000007